(57)【要約】【課題】庖丁を粗砥用砥石体を使用して研ぎ上げ、その後テンプラ油やグリス等の少量を付着し仕上用砥石体にて研ぎ上げる庖丁研ぎ器等を提供する。【解決手段】表面部２にダイヤモンド粉末をコーティングする２個の円盤状研磨砥石１、１を対向状にセットする。中心部に軸杆３を貫通して軸杆３の左右両サイドよりナット４、４を軸着する粗砥用砥石体ａを設け、表面部６にダイヤモンド粉末をコーティングする２個の円盤状研磨砥石５、５をセットする。中心部に軸杆７を貫通して軸杆７の左右両サイドよりナット８、８を軸着する仕上用砥石体ｂを設け、上面部９に粗砥用砥石体ａと仕上用砥石体ｂを所定間隔おきに並列し、回転自在に嵌着する細長形状の握持体ｃと、握持体ｃの上面部９にスライドが調整可能な左側刃物ガイド体ｄ等を装着した。【選択図】    図１
2017226067.tif 000002
【特許請求の範囲】
【請求項１】
表面部にダイヤモンド粉末をコーティングする一方の円盤状研磨砥石と、表面部にダイヤモンド粉末をコーティングしない他方の円盤状研磨砥石とを形成し、前記一方のダイヤモンド粉末をコーティングした円盤状研磨砥石を外側方にして、前記両砥石を対向状にセットし、且つ中心部に軸杆を貫通して前記軸杆の左右両サイドよりナットを軸着する粗砥用砥石体を設け、表面部にダイヤモンド粉末をコーティングする一方の円盤状研磨砥石と表面部にダイヤモンド粉末をコーティングしない他方の円盤状研磨砥石とを形成し、前記一方のダイヤモンド粉末をコーティングした円盤状研磨砥石を外側方にして、前記両砥石を対向状にセットし、且つ中心部に軸杆を貫通して前記軸杆の左右両サイドよりナットを軸着する仕上用砥石体を設け、上面部に前記粗砥用砥石体と前記仕上用砥石体を所定の間隔おきに並列して、且つ回転自在に嵌着せしめる細長形状の握持体と、前記握持体の上面部にスライドが調整可能な左側刃物ガイド体と、前記握持体の上面部にスライドが調整可能な右側刃物ガイド体と、前記握持体の上面部にして、且つ前記左側刃物ガイド体と右側刃物ガイド体との間に、スライドが調整可能な中央刃物ガイド体を夫々装着せしめ組立てることを特徴とする庖丁研ぎ器。
【請求項２】
前記粗砥用砥石体と前記仕上用砥石体が、前記握持体の長さ方向の軸線に対し、所定の角度で傾斜状にして、且つ平行状に並列せしめられていることを特徴とする請求項１に記載の庖丁研ぎ器。
【請求項３】
前記左側刃物ガイド体の上面部に、前記粗砥用砥石体であることを明確にする文字を付記せしめる粗砥使用指示シールを貼着すると共に、右側刃物ガイド体の上面部に、前記仕上用砥石体であることを明確にする文字を付記せしめる仕上砥使用指示シールを貼着ることを特徴とする請求項１又は２に記載の庖丁研ぎ器。
【請求項４】
前記左側刃物ガイド体と前記右側刃物ガイド体と前記中央刃物ガイド体に細長孔を形成し、前記各細長孔に頭部付きガイドピンを貫通して前記３つのガイド体と前記握持体を夫々螺着せしめることを特徴とする請求項１又は２又は３に記載の庖丁研ぎ器。
【請求項５】
前記粗砥用砥石体と前記仕上用砥石体が、前記左側刃物ガイド体と前記右側刃物ガイド体と、前記中央刃物ガイド体によってカバーされていることを特徴とする請求項１又は２又は３又は４に記載の庖丁研ぎ器。
【請求項６】
前記中央刃物ガイド体の全長が、前記左側刃物ガイド体と右側刃物ガイド体の端部との間に形成される庖丁刃の刃挿入部を調整できる長さにて形成されていることを特徴とする請求項１又は２又は３又は４又は５に記載の庖丁研ぎ器。
【請求項７】
前記仕上用砥石体が、庖丁が前記粗砥用砥石体によって研ぎ上げられた後、研ぎ上げられた庖丁の刃部もしくは刃部を含む刃部の周辺に、テンプラ油もしくはサラダ油もしくはグリスを付着せしめて前記庖丁を研ぎ上げることを特徴とする請求項１又は２又は３又は４又は５又は６に記載の庖丁研ぎ器。
【請求項８】
握持体の上面部に握持体の細長形状の軸線方向に対し、稍傾斜状にして、且つ並列状に回転自在に粗砥用砥石体と仕上用砥石体を嵌着せしめると共に、前記粗砥用砥石体と仕上用砥石体をカバーする左側刃物ガイド体と右側刃物ガイド体と中央刃物ガイド体を、頭部付きガイドピンによって前記握持体に夫々接続せしめられた庖丁研ぎ器の使用方法であって、
前記庖丁研ぎ器の前記中央刃物ガイド体を左側刃物ガイド体側にスライドしてガイドピンをゆるめた状態から締め付け後、左側刃物ガイド体側の握持体を片方の手指で握持し、もう片方の手指で握持していた庖丁の刃先を前記粗砥用砥石体内に挿入し、所定の回数前進と後進を交互に繰り返し研ぎ上げた後、反対側の右側刃物ガイド体を置き換え、中央刃物ガイド体のガイドピンをゆるめて反対側にスライドさせて前記ガイドピンを再度締め付け、前記粗砥用砥石体によって研ぎ上げられた庖丁の刃部もしくは仕上用砥石体に、テンプラ油もしくはサラダ油もしくはグリスを付着せしめた後、前記右側刃物ガイド体側の握持体を握持し、前記仕上用砥石体内に挿入して研ぎ上げる庖丁研ぎ器の使用方法。
【請求項９】
握持体の上面部に握持体の細長形状の軸線方向に対し、稍傾斜状にして、且つ並列状に回転自在に粗砥用砥石体と仕上用砥石体を嵌着せしめると共に、前記粗砥用砥石体と仕上用砥石体をカバーする左側刃物ガイド体と右側刃物ガイド体と中央刃物ガイド体を、頭部付きガイドピンによって前記握持体に夫々接続せしめられ、前記粗砥用砥石体側の前記右側刃物ガイド体の上面部には粗砥用砥石体であることを指示するシールを貼着し、他方前記仕上用砥石体側の上面部にも仕上用砥石体であることを指示するシールを貼着せしめた庖丁研ぎ器の使用方法であって、
前記庖丁研ぎ器の前記中央刃物ガイド体を左側刃物ガイド体側にスライドしてガイドピンをゆるめた状態から締め付け後、左側刃物ガイド体側の握持体を片方の手指で握持し、もう片方の手指で握持していた庖丁の刃先を前記粗砥用砥石体内に挿入し、所定の回数前進と後進を交互に繰り返し研ぎ上げた後、反対側の右側刃物ガイド体を置き換え、中央刃物ガイド体のガイドピンをゆるめて反対側にスライドさせて前記ガイドピンを再度締め付け、前記粗砥用砥石体によって研ぎ上げられた庖丁の刃部もしくは仕上用砥石体に、テンプラ油もしくはサラダ油もしくはグリスを付着せしめた後、前記右側刃物ガイド体側の握持体を握持し、前記仕上用砥石体内に挿入して研ぎ上げることを特徴とする庖丁研ぎ器の使用方法。
【発明の詳細な説明】
【技術分野】
【０００１】
本発明は、粗砥用砥石体と仕上用砥石体とを握持体の上面部に並列状態で回転自在に嵌着せしめ、庖丁を粗砥用砥石体を使用して研ぎ上げ、研ぎ上げ後は、テンプラ油もしくはサラダ油もしくはグリスの少量を付着せしめ仕上用砥石体にて研ぎ上げるようにした庖丁研ぎ器とその使用方法の技術分野に関するものである。
【背景技術】
【０００２】
従来庖丁研ぎ器として、本件特許出願人が開発した下記特許文献１（特許第３９９１１５８号公報）が開示されている。さらに本出願人が出願中の庖丁研ぎ器に関する特許文献２（特開２０１０−１１０８８５公報）が開示されている。
【０００３】
しかし、前記開示の庖丁研ぎ器は、何れも中央に１個のダイヤをコーティングした研磨砥石体を装着し、両刃庖丁や片刃庖丁を自由に研ぎ上げることを目的に開発されたものであった。
【０００４】
さらに、従来のダイヤ研磨砥石式の庖丁研ぎ器は、その他の砥石と違い、その硬さを利用して庖丁の刃先を削り落して刃を付けるものであり、他方、その他の天然・合成砥石も水を付けて研ぐほどに砥石から、はがれ落ちた細かい部分と、すり減った庖丁の金属部分が、水を媒体として研ぐ程に、ぬめりが出てくる時が、庖丁が一番研げる状態である。
【０００５】
また、従来開示のダイヤ研磨砥石式の庖丁研ぎ器は、ダイヤ砥石体が１個しか装着されていないので使用頻度が多くなると、研磨砥石体にコーティングされているダイヤモンド粉末が時間の経過と共に剥がれ落ちてしまう恐れがあった。そのため製品寿命が短くなると云うものであった。
【先行技術文献】
【特許文献】
【０００６】
【特許文献１】特許第３９９１１５８号公報
【特許文献２】特開２０１０−１１０８８５公報
【発明の概要】
【発明が解決しようとする課題】
【０００７】
本発明が解決しようとする課題は以下のとおりである。
【０００８】
本発明は、回転自在にして、且つ若干傾斜状に装着せしめるダイヤ研磨砥石体を２個形成し、握持体の上面部に所定の間隔を置いて２個並列（二頭式）せしめ、一方の砥石体は粗砥として使用し、他方の砥石体は仕上砥として使用すること、さらに粗砥によって研ぎ上げた後、他方の仕上砥に、水ではなく、テンプラ油もしくはサラダ油もしくはグリスの何れかを仕上砥側の円盤状研磨砥石側もしくは庖丁の刃部側に付着せしめて研ぎ上げるようにして、１０００番の砥石で研いだものと同じような切れ味をだすことができるようにして課題を解決した。
【０００９】
さらに本発明の創作に至った経緯は下記のとおりである。
【００１０】
本件特許出願人は、昨年の実験から、平らな１０ｃｍの両面にダイヤを付け砥石全体を庖丁の刃がこすれるよう考えました。巨大な砥石一枚を直立にし、斜めにセットした庖丁に圧力が掛かるようにし、それを手前に引き、その勢いで砥石がまわるように考え作りましたが、さて、押す時に庖丁に掛かっている圧力を逃してやらなければ庖丁は動きません。今まで押す引くで使っていらっしゃったお客様に１００％受け入れられないと判断し中止致しました。しかし、安物の庖丁でもびっくりするほどの切れ味になりました。
【００１１】
これを生かして再度挑戦したのは、庖丁を台の上に乗せ、台の庖丁を斜めに当たるように焼入れしたステンレス丸棒に、長さ７ｃｍ巾６ｃｍのダイヤの付いた厚い削り台を自由にスライド出来るように作りましたが、砥石も１００番から１０００番まで揃えましたが、価格がべらぼうに高い事と思ったように自由に削れず中止致し、同時進行していた二頭式の形に致し、従来の砥石と仕上用の砥石として使う事を考え、前回の異常に切れる油付の砥石を付け試作しました所、この方法がベストと考え、売り出す事と致しました。
この試作品をもって、某商社に秘密を厳守してご覧に入れました。私の友人のＳさんの研いだ庖丁を持って参りました。Ｓさんは三条地区では傑出した研ぎの名人です。先ず、厚紙を切れる庖丁で切って見せました。
次に持って行ったコンクリートブロックを、何回も何回もこすり庖丁が完全に切れなくしました。切れないのを証明するため、厚紙を切って見せました。厚紙は庖丁の刃が入らず、ぶさぶさになりました。
【００１２】
従来の砥石を使い完全に刃が付いたのを確かめ、油砥石とした砥石に掛ける前に、庖丁にグリスを庖丁の刃の長さ全体に巾５ｍｍほどに紙へらで庖丁の刃先に塗り、軽く４、５回こすりました。ダイヤの番定は荒いのに１０００番の砥石で研いだようによく切れます。
【００１３】
前記Ｓ名人の研いだのとは若干違うように思いましたが、あまり遜色ありません。私も自信はありましたが、自分でデモンストレーションしながら、これは売れると感じました。今回は本当にお金が掛りました。発明とはお金が掛るのです。
【００１４】
従来の砥石を粗砥とするならば、仕上用として用いた油砥石がまさしく仕上用としてぴったりなのです。粗砥用の砥石で刃を付けたものならば、ほんの３、４回押したり引いたりで仕上に代るダイヤの番定もやや同じです。安定した大玉のダイヤも気持ちよく研げ、皆様方にきっと喜んでいただけると確信しております。
【００１５】
今回の特許出願は、ダイヤコーティング砥石の種々の試作品の中で思いがけない切れ味が容易にえられる事が分り、それを主体とした耐久性などの見地から粗砥とさほど違わない砥石に庖丁の刃にグリスを刃先５ｍｍ巾に紙へらで付けるだけで、仕上砥石で研いだと同じ切れ味をえた事は大発見でした。
これならば、粗砥石、油砥石と同じ位の使い用となり、仕上砥石だけが極端に早く減る事はない。
【００１６】
以上が本願発明を創作するに至った経緯である。
【課題を解決するための手段】
【００１７】
課題を解決するための手段として、請求項１に記載の発明は、表面部２にダイヤモンド粉末をコーティングする一方の円盤状研磨砥石１と、表面部２にダイヤモンド粉末をコーティングしない他方の円盤状研磨砥石１とを形成し、前記一方のダイヤモンド粉末をコーティングした円盤状研磨砥石１を外側方にして、前記両砥石１、１を対向状にセットし、且つ中心部に軸杆３を貫通して前記軸杆３の左右両サイドよりナット４、４を軸着する粗砥用砥石体ａを設け、表面部６にダイヤモンド粉末をコーティングする一方の円盤状研磨砥石５と表面部２にダイヤモンド粉末をコーティングしない他方の円盤状研磨砥石５とを形成し、前記一方のダイヤモンド粉末をコーティングした円盤状研磨砥石５を外側方にして、前記両砥石５、５を対向状にセットし、且つ中心部に軸杆７を貫通して前記軸杆７の左右両サイドよりナット８、８を軸着する仕上用砥石体ｂを設け、上面部９に前記粗砥用砥石体ａと前記仕上用砥石体ｂを所定の間隔おきに並列して、且つ回転自在に嵌着せしめる細長形状の握持体ｃと、前記握持体ｃの上面部９にスライドが調整可能な左側刃物ガイド体ｄと、前記握持体ｃの上面部９にスライドが調整可能な右側刃物ガイド体ｅと、前記握持体ｃの上面部９にして、且つ前記左側刃物ガイド体ｄと右側刃物ガイド体ｅとの間に、スライドが調整可能な中央刃物ガイド体ｆを夫々装着せしめ組立てる庖丁研ぎ器である。
【００１８】
課題を解決するための手段として、請求項２に記載の発明は、前記粗砥用砥石体ａと前記仕上用砥石体ｂが、前記握持体ｃの長さ方向の軸線に対し、所定の角度で傾斜状にして、且つ平行状に並列せしめられている庖丁研ぎ器である。
【００１９】
課題を解決するための手段として、請求項３に記載の発明は、前記左側刃物ガイド体ｄの上面部に、前記粗砥用砥石体ａであることを明確にする文字１１を付記せしめる粗砥使用指示シール１０を貼着すると共に、右側刃物ガイド体ｅの上面部に、前記仕上用砥石体ｂであることを明確にする文字１３を付記せしめる仕上砥使用指示シール１２を貼着る庖丁研ぎ器である。
【００２０】
課題を解決するための手段として、請求項４に記載の発明は、前記左側刃物ガイド体ｄと前記右側刃物ガイド体ｅと前記中央刃物ガイド体ｆに細長孔１４、１４、１４を形成し、前記各細長孔１４、１４、１４に頭部１６付きガイドピン１５を貫通して前記３つのガイド体ｄ、ｅ、ｆと前記握持体ｃを夫々螺着せしめる庖丁研ぎ器である。
【００２１】
課題を解決するための手段として、請求項５に記載の発明は、前記粗砥用砥石体ａと前記仕上用砥石体ｂが、前記左側刃物ガイド体ｄと前記右側刃物ガイド体ｅと、前記中央刃物ガイド体ｆによってカバーされている庖丁研ぎ器である。
【００２２】
課題を解決するための手段として、請求項６に記載の発明は、前記中央刃物ガイド体ｆの全長が、前記左側刃物ガイド体ｄと右側刃物ガイド体ｅの端部１７、１８との間に形成される庖丁刃の刃挿入部１９、２０を調整できる長さにて形成されている庖丁研ぎ器である。
【００２３】
課題を解決するための手段として、請求項７に記載の発明は、前記仕上用砥石体ｂが、庖丁が前記粗砥用砥石体ａによって研ぎ上げられた後、研ぎ上げられた庖丁の刃部もしくは刃部を含む刃部の周辺に、テンプラ油もしくはサラダ油もしくはグリスを付着せしめて前記庖丁を研ぎ上げる庖丁研ぎ器である。
【００２４】
課題を解決するための手段として、請求項８に記載の発明は、握持体ｃの上面部９に握持体ｃの細長形状の軸線方向に対し、稍傾斜状にして、且つ並列状に回転自在に粗砥用砥石体ａと仕上用砥石体ｂを嵌着せしめると共に、前記粗砥用砥石体ａと仕上用砥石体ｂをカバーする左側刃物ガイド体ｄと右側刃物ガイド体ｅと中央刃物ガイド体ｆを、頭部付きガイドピン１５、１５、１５によって前記握持体ｃに夫々接続せしめられた庖丁研ぎ器の使用方法であって、
前記庖丁研ぎ器の前記中央刃物ガイド体ｆを左側刃物ガイド体ｄ側にスライドしてガイドピン１５をゆるめた状態から締め付け後、左側刃物ガイド体ｄ側の握持体ｃを片方の手指で握持し、もう片方の手指で握持していた庖丁の刃先を前記粗砥用砥石体ａ内に挿入し、所定の回数前進と後進を交互に繰り返し研ぎ上げた後、反対側の右側刃物ガイド体ｅを置き換え、中央刃物ガイド体ｆのガイドピン１５をゆるめて反対側にスライドさせて前記ガイドピン１５を再度締め付け、前記粗砥用砥石体ａによって研ぎ上げられた庖丁の刃部もしくは仕上用砥石体に、テンプラ油もしくはサラダ油もしくはグリスを付着せしめた後、前記右側刃物ガイド体ｅ側の握持体ｃを握持し、前記仕上用砥石体ｂ内に挿入して研ぎ上げる庖丁研ぎ器の使用方法である。
【００２５】
課題を解決するための手段として、請求項９に記載の発明は、握持体ｃの上面部９に握持体ｃの細長形状の軸線方向に対し、稍傾斜状にして、且つ並列状に回転自在に粗砥用砥石体ａと仕上用砥石体ｂを嵌着せしめると共に、前記粗砥用砥石体ａと仕上用砥石体ｂをカバーする左側刃物ガイド体ｄと右側刃物ガイド体ｅと中央刃物ガイド体ｆを、頭部付きガイドピン１５、１５、１５によって前記握持体ｃに夫々接続せしめられ、前記粗砥用砥石体ａ側の前記右側刃物ガイド体ｅの上面部には粗砥用砥石体ａであることを指示するシール１０を貼着し、他方前記仕上用砥石体ｂ側の上面部にも仕上用砥石体ｂであることを指示するシール１２を貼着せしめた庖丁研ぎ器の使用方法であって、
前記庖丁研ぎ器の前記中央刃物ガイド体ｆを左側刃物ガイド体ｄ側にスライドしてガイドピン１５をゆるめた状態から締め付け後、左側刃物ガイド体ｄ側の握持体ｃを片方の手指で握持し、もう片方の手指で握持していた庖丁の刃先を前記粗砥用砥石体ａ内に挿入し、所定の回数前進と後進を交互に繰り返し研ぎ上げた後、反対側の右側刃物ガイド体ｅを置き換え、中央刃物ガイド体ｆのガイドピン１５をゆるめて反対側にスライドさせて前記ガイドピン１５を再度締め付け、前記粗砥用砥石体ａによって研ぎ上げられた庖丁の刃部もしくは仕上用砥石体に、テンプラ油もしくはサラダ油もしくはグリスを付着せしめた後、前記右側刃物ガイド体ｅ側の握持体ｃを握持し、前記仕上用砥石体ｂ内に挿入して研ぎ上げる庖丁研ぎ器の使用方法である。
【発明の効果】
【００２６】
本発明は、上述のとおりの構成なので、二頭式にて並列せしめられている一方の粗砥石体にて従来の手法と同様にして庖丁を研ぎ上げ、つづいて並列している他方の仕上用砥石体に直接テンプラ油もしくはサラダ油もしくはグリスを付着せしめるか、もしくは粗砥にて研ぎ上げられた庖丁側の刃部もしくは刃部の周辺に前記したテンプラ油もしくはサラダ油もしくはグリスを少量付着せしめた後、前記仕上用砥石体の円盤形状の研磨砥石側に握持している庖丁の刃部を挿入せしめ２〜３回こするだけで極めて優れた切れ味も持った庖丁研ぎができる。
【００２７】
また、本発明は、砥石体が二頭並列状に装着されているので、一方を粗砥石体として使用し、他方を仕上砥石体として使用し、ただし前記仕上砥石体には、テンプラ油もしくはサラダ油もしくはグリスを付着することを条件にして庖丁をこすり上げるようにすると共に、前記仕上砥石体を介して研ぎ仕上げをするときは、握持体を置き換えるだけの簡単な操作で切れ味が抜群な庖丁研ぎができる。
【００２８】
さらに、本発明は、前記のように左側刃物ガイド体の上面部に粗砥用砥石体であることを指示するシールを、他方右側刃物ガイド体の上面部にも仕上用砥石体であることを指示するシールを夫々貼着せしめているので、庖丁を研ぐ手順を間違わずにできる利点がある。
【００２９】
加えて、粗砥用砥石体と仕上用砥石体の２個を二頭並列状に握持体に装着せしめた研ぎ構造としたので、従来の庖丁研ぎ器よりもダイヤモンド粉末の剥がれ落ちるスピードが遅くなり、そのため製品寿命が延命できる利点がある。
【図面の簡単な説明】
【００３０】
【図１】本発明庖丁研ぎ器の斜視図である。
【００３１】
【図２】同図１の庖丁研ぎ器が置き換えられた状態の斜視図である。
【００３２】
【図３】同図１の庖丁研ぎ器を分解した状態の斜視図である。
【発明を実施するための最良の形態】
【００３３】
本発明は、実施の形態が共通しているので、図面に基づき一括して以下のとおり説明する。
【００３４】
図において、符号ａは粗砥用砥石体を示している。該砥石体ａは、表面部２にダイヤモンド粉末をコーティングする一方の円盤状研磨砥石１と、表面部２にダイヤモンド粉末をコーティングしない他方の円盤状研磨砥石１とを形成し、前記一方のダイヤモンド粉末をコーティングした円盤状研磨砥石１を外側方にして、前記両砥石１、１を対向状にセットし、且つ中心部に軸杆３を貫通して前記軸杆３の左右両サイドよりナット４、４を軸着する。この軸着はネジ（図示なし）が設けられている。
【００３５】
さらに、前記粗砥用砥石体ａを構成する対向状にセットされる円盤状の研磨砥石１、１の中、ダイヤモンド粉末をコーティングするのは、外側方の研磨砥石１である。前記のようにダイヤモンド粉末をコーティングした砥石１の外側円周部には、青色を着色して使用者が分り易いようにする。
【００３６】
ｂは仕上用砥石体であり以下の構成からなっている。
【００３７】
表面部６にダイヤモンド粉末をコーティングする一方の円盤状研磨砥石５と表面部２にダイヤモンド粉末をコーティングしない他方の円盤状研磨砥石５とを形成し、前記一方のダイヤモンド粉末をコーティングした円盤状研磨砥石５を外側方にして、前記両砥石５、５を対向状にセットし、且つ中心部に軸杆７を貫通して前記軸杆７の左右両サイドよりナット８、８を軸着する。この軸着はネジ（図示なし）も設けられている。
【００３８】
前記仕上用砥石体ｂを構成する対向状にセットされる円盤状の研磨砥石５、５の中、ダイヤモンド粉末をコーティングするのは、外側方の研磨砥石５である。前記のようにダイヤモンド粉末をコーティングした砥石５の外側円周部には、赤色を着色して使用者が分り易いようにする。
【００３９】
ｃは握持体であり、以下の構成からなる。
【００４０】
上面部９に前記粗砥用砥石体ａと前記仕上用砥石体ｂを所定の間隔おきにして、且つ回転自在に嵌着せしめる構成である。
【００４１】
さらに前記握持体ｃは細長形状にして、前記２つの砥石体ａ、ｂが嵌挿する嵌挿部９ｂが形成されている。
【００４２】
ｄは左側刃物ガイド体であり、以下の構成からなっている。
【００４３】
前記握持体ｃの上面部９にスライドが調整可能に装着されている。その具体的説明は下記に説明する。
【００４４】
ｅは前記握持体ｃの上面部９にスライドが調整可能にセットされている右側刃物ガイド体である。
【００４５】
ｆは前記握持体ｃの上面部９にして、且つ前記左側刃物ガイド体ｄと右側刃物ガイド体ｅとの間に、スライドが調整可能な構造となっている中央刃物ガイド体である。さらにその具体的構成は下記に述べる。
【００４６】
さらに前記粗砥用砥石体ａと前記仕上用砥石体ｂは、前記握持体ｃの長さ方向の軸線に対し、所定の角度で傾斜状にして、且つ平行状に並列せしめられている。
【００４７】
１０は粗砥使用指示シールであり、以下の構成からなっている。  
【００４８】
該シール１０は前記左側刃物ガイド体ｄの上面部に、前記粗砥用砥石体ａであることを明確にする文字１１を付記せしめ貼着されている。
【００４９】
図において、１２は仕上砥使用指示シールであり、右側刃物ガイド体ｅの上面部に、前記仕上用砥石体ｂであることを明確にする文字１３を付記せしめ貼着されている。
【００５０】
本発明は、前記左側刃物ガイド体ｄと前記右側刃物ガイド体ｅと前記中央刃物ガイド体ｆには、細長孔１４、１４、１４が形成され、前記各細長孔１４、１４、１４には頭部１６付きガイドピン１５を貫通して前記３つのガイド体ｄ、ｅ、ｆと前記握持体ｃを夫々螺着せしめる。
【００５１】
１５ａはガイドピン１５と共に使用されるワッシャーである。
【００５２】
９ａは係止部であり、前記各ガイド体ｄ、ｅ、ｆのスライドをスムーズに行うための機能がある。
【００５３】
さらに、本発明は、前記粗砥用砥石体ａと前記仕上用砥石体ｂが、前記左側刃物ガイド体ｄと前記右側刃物ガイド体ｅと中央刃物ガイド体ｆによってカバーされている。
【００５４】
さらに、前記各ガイド体ｄ、ｅ、ｆは係止部９ａによって、はみ出たりしない。
【００５５】
１５ｂは握持体ｃと各ガイド体ｄ、ｅ、ｆを接続するために握持体ｃ側に形成されたネジ付き突出部である。
【００５６】
前記中央刃物ガイド体ｆの全長は、前記左側刃物ガイド体ｄと右側刃物ガイド体ｅの端部１７、１８との間に形成される庖丁刃の刃挿入部１９、２０を調整できる長さにて形成されている。
【００５７】
本発明は、前記仕上用砥石体ｂが下記のように実施される。
【００５８】
すなわち、庖丁が前記粗砥用砥石体ａによって研ぎ上げられた後、研ぎ上げられた庖丁の刃部もしくは刃部を含む刃部の周辺に、テンプラ油もしくはサラダ油もしくはグリスを付着せしめて、前記庖丁を研ぎ上げるものである。
【００５９】
本発明の庖丁研ぎ器を構成する粗砥用砥石体ａによって庖丁を研ぎ上げた後、仕上げのため仕上用砥石体ｂによって研ぐ以前の準備作業として庖丁の刃部側もしくは前記仕上用砥石体ｂ側にテンプラ油もしくはサラダ油もしくはグリス（食用機械類において使用される無害なグリスを使用する。）を少量付着せしめる。
【００６０】
つぎに、庖丁を前記握持体ｃに嵌着している前記仕上用砥石体ｂの円盤状研磨砥石５、５内に嵌挿せしめ複数回こする。その結果、庖丁の刃先は、切れ味が極めて良好に研ぎ上がる。
【００６１】
本件発明を開発するに至った経緯は、以下のとおりである。
【００６２】
従来の庖丁研ぎ器は、研ぎ器を構成するダイヤ砥石は、その他の砥石と違い、その硬さを利用して庖丁の刃先を削り落して刃をつけるものであった。一方、その他の天然・合成砥石とも、水を付け研ぐほどに砥石からはがれ落ちた細かい部分とすり減った庖丁の金属部分が、水を媒体として研ぐほどに、ぬめりが出てくる時が、庖丁が一番研げる状態である。そうなると、ぬめりもギラギラと油の入ったような風にも見える。このような研ぎ方は、ダイヤ砥石にはなかった。仕上用として更に細かいダイヤをはりつけ使用しても、決っして上手く行かず、試行錯誤の上、ダイヤ砥石の上に油を付けるか、庖丁の刃先に油を付け使用すると、現在の砥石だけの切れ味から、思い掛けない庖丁の切れ味を出すに至った。
【００６３】
この原因は、ダイヤ砥石の上から油を付けると、当りが柔らかくなり、今まで下に落ちていた、庖丁の削り滓が、油と同化して細かいダイヤにまとわり付き、天然砥石のぬめりと似たような状態になったものと判断する。しかし、本当に良く研げた庖丁の切れ味には及ばないが、２、３回こすって刃が付く、簡易庖丁研ぎ器としては大きな進歩であった。
【００６４】
以上が本件発明を開発するに至った経緯である。
【００６５】
次に、上述した庖丁研ぎ器の使用方法について説明する。
第１の研ぎ工程として、ガイドピン１５をゆるめて前記庖丁研ぎ器の前記中央刃物ガイド体ｆを、左側刃物ガイド体ｄ側にスライドさせる。そして、ガイドピン１５を締め付け後、左側刃物ガイド体ｄ側の握持体ｃを片方の手指で握持し、もう片方の手指で握持していた庖丁の刃先を前記粗砥用砥石体ａ内に挿入し、所定の回数前進と後進を交互に繰り返えし研ぎ上げる。
【００６６】
第２工程として、反対側の右側刃物ガイド体ｅ側を置き換える。しかる後、中央刃物ガイド体ｆのガイドピン１５をゆるめて反対側にスライドさせて前記ガイドピン１５を再度締め付ける。
【００６７】
第３の研ぎ工程として、前記粗砥用砥石体ａによって研ぎ上げられた庖丁の刃部もしくは前記仕上用砥石体ｂに、テンプラ油もしくはサラダ油もしくはグリスを付着せしめた後、前記仕上用砥石体ｂ内に庖丁の刃部を挿入して研ぎ上げ庖丁研ぎを終了せしめるものである。  
【００６８】
さらに、本件特許出願人は、本願発明の庖丁研ぎ器に無害なグリスを付着せしめ仕上用砥石体にて研ぎ上げる庖丁研ぎ器に関し、新潟県工業技術総合研究所の県央技術支援センターに、グリス（グリース）の塗布を施した庖丁研ぎ器に関し何故に前記のようにグリスを塗布し研ぎ上げると極めて良く切れるかに付き研究を依頼した。
【００６９】
その結果、前記技術支援センター長による「受託研究成果通知書」（平成２９年３月１５日付）が交付されるに至った。
【００７０】
前記受託研究成果通知書に明記されている内容（抜粋）は、下記のとおりであった。
【００７１】
「一般に、良好な切れ味を持つ刃物の刃先については、鋸歯状刃先という説と一直線状の刃先という説がある。朝倉健太郎（“刃物の科学”日刊工業新聞社、Ｐ１２−１３、Ｐ５４−５５）によれば、カミソリの鋸歯状の刃先は、刃先としては未完成とし、一直線状の刃先が理想としている。しかしながら、本調査研究の対象は、被切削対象に刃をなぞらせるカミソリと使用方法が異なり、「引き切り」や「押し切り」により対象を切断する包丁で、切断を効率的に行うためには、刃先の鋸歯の凹凸が被削材に食い込み、刃の掛かりを良好にする必要がある（尾上卓生・矢野宏、“刃物のおはなし”、日本規格協会、Ｐ１７４）。また、鋭い角度を持つ刃先も切れ味には良好な結果をもたらすことが知られている。当該包丁研ぎ器は、刃先を鋭くするだけでなく、鋸歯形成能も有することから、切れ味が向上するものと考えられる。
＜まとめ＞
グリース塗布を施して研磨する包丁研ぎ器について、研ぐ前後の包丁の先端形状や切れ味を調査し比較した結果、当該包丁研ぎ器に掛けた後は、刃先が鋭利になるだけでなく、鋸歯が形成されることが分かった。上記二つの効果がもたらされることで良好な切れ味になると推察される。」
【００７２】
上記により、本件特許出願に関する発明が、グリスを塗布し研ぐことによって、刃先が鋭利になるだけでなく鋸歯形状になり、良く切れることが実証された。
【００７３】
なお、本件特許出願人において、前記新潟県工業技術総合研究所県央技術支援センター長が作成した、「受託研究成果通知書」（工技県央第２８号平成２９年３月１５日付）（研究報告付き）の原本）は、保持している。
【符号の説明】
【００７４】
ａ        粗砥用砥石体
ｂ        仕上用砥石体
ｃ        握持体
ｄ        左側刃物ガイド体
ｅ        右側刃物ガイド体
ｆ        中央刃物ガイド体
１        円盤状研磨砥石
２        表面部
３        軸杆
４        ナット
５        円盤状研磨砥石
６        表面部
７        軸杆
８        ナット
９        上面部
９a       係止部
９ｂ      嵌挿部
１０      シール
１１      文字
１２      シール
１３      文字
１４      細長孔
１５      ガイドピン
１５a     ワッシャー
１５ｂ    突出部
１６      頭部
１７      端部
１８      端部
１９      刃挿入部
２０      刃挿入部
【図１】
2017226067.tif 000003
【図２】
2017226067.tif 000004
【図３】
2017226067.tif 000005
【手続補正書】
【提出日】平成29年8月17日(2017.8.17)
【手続補正１】
【補正対象書類名】特許請求の範囲
【補正対象項目名】全文
【補正方法】変更
【補正の内容】
【特許請求の範囲】
【請求項１】
表面部にダイヤモンド粉末をコーティングする一方の円盤状研磨砥石と、表面部にダイヤモンド粉末をコーティングしない他方の円盤状研磨砥石とを形成し、前記一方のダイヤモンド粉末をコーティングした円盤状研磨砥石を外側方にして、前記両砥石を対向状にセットし、且前記両砥石の中心部に軸杆を貫通し、前記軸杆の左右両サイドにナットを軸着せしめた粗砥用砥石体と、表面部にダイヤモンド粉末をコーティングする一方の円盤状研磨砥石と表面部にダイヤモンド粉末をコーティングしない他方の円盤状研磨砥石とを形成し、前記一方のダイヤモンド粉末をコーティングした円盤状研磨砥石を外側方にして、前記両砥石を対向状にセットし、且前記両砥石の中心部に軸杆を貫通し、前記軸杆の左右両サイドにナットを軸着せしめたグリス付着専用の仕上用砥石体とを設け、上面部に形成せしめた嵌挿部内に前記粗砥用砥石体と前記仕上用砥石体を所定の間隔おきに並列し、且回転自在に嵌着せしめる細長形状の握持体と、前記握持体の上面部に左側刃物ガイド体と、前記握持体の上面部に右側刃物ガイド体と、前記握持体の上面部にして、且前記左側刃物ガイド体と右側刃物ガイド体との間に、スライドが調整可能な中央刃物ガイド体を夫々装着せしめ、前記粗砥用砥石体と前記仕上用砥石体が、前記握持体の長さ方向の軸線に対し、所定の角度で傾斜状にして、且平行状に並列せしめ、前記左側刃物ガイド体と前記右側刃物ガイド体と前記中央刃物ガイド体に細長孔を形成し、前記各細長孔に頭部付きガイドピンを貫通して前記３つのガイド体と前記握持体を夫々螺着せしめ、前記粗砥用砥石体と前記仕上用砥石体が、前記左側刃物ガイド体と前記右側刃物ガイド体と、前記中央刃物ガイド体によってカバーされ、前記中央刃物ガイド体の全長が、前記左側刃物ガイド体と右側刃物ガイド体の端部との間に形成される庖丁刃の刃挿入部を調整できる長さにて形成されていることを特徴とする庖丁研ぎ器。
【請求項２】
前記左側刃物ガイド体の上面部に、前記粗砥用砥石体であることを明確にする文字を付記せしめる粗砥使用指示シールを貼着し、右側刃物ガイド体の上面部に、前記仕上用砥石体であることを明確にする文字を付記せしめる仕上砥使用指示シールを貼着することを特徴とする請求項１に記載の庖丁研ぎ器。
【請求項３】
握持体の上面部に握持体の細長形状の軸線方向に対し、稍傾斜状にして、且並列状に回転自在に粗砥用砥石体と仕上用砥石体を嵌着せしめると共に、前記粗砥用砥石体と仕上用砥石体をカバーする左側刃物ガイド体と右側刃物ガイド体と中央刃物ガイド体を、頭部付きガイドピンによって前記握持体に夫々接続せしめた庖丁研ぎ器の使用方法であって、
前記庖丁研ぎ器の前記中央刃物ガイド体を左側刃物ガイド体側にスライドしてガイドピンをゆるめた状態から締め付けた後、左側刃物ガイド体側の握持体を片方の手指で握持し、もう片方の手指で握持していた庖丁の刃先を前記粗砥用砥石体内に挿入し、所定の回数前進と後進を交互に繰り返し研ぎ上げた後、前記握持体を置き換え、中央刃物ガイド体のガイドピンをゆるめて反対側にスライドさせて前記ガイドピンを再度締め付け、前記粗砥用砥石体によって研ぎ上げられた庖丁の刃部もしくは仕上用砥石体に、グリスを付着せしめた後、前記右側刃物ガイド体側の握持体を握持し、前記庖丁の刃先を前記仕上用砥石体内に挿入して研ぎ上げることを特徴とする庖丁研ぎ器の使用方法。
【請求項４】
握持体の上面部に握持体の細長形状の軸線方向に対し、稍傾斜状にして、且並列状に回転自在に粗砥用砥石体と仕上用砥石体を嵌着せしめると共に、前記粗砥用砥石体と仕上用砥石体をカバーする左側刃物ガイド体と右側刃物ガイド体と中央刃物ガイド体を、頭部付きガイドピンによって前記握持体に夫々接続せしめ、前記粗砥用砥石体側の前記右側刃物ガイド体の上面部には粗砥用砥石体であることを指示するシールを貼着し、他方前記仕上用砥石体側の上面部にも仕上用砥石体であることを指示するシールを貼着せしめた庖丁研ぎ器の使用方法であって、
前記庖丁研ぎ器の前記中央刃物ガイド体を左側刃物ガイド体側にスライドしてガイドピンをゆるめた状態から締め付けた後、左側刃物ガイド体側の握持体を片方の手指で握持し、もう片方の手指で握持していた庖丁の刃先を前記粗砥用砥石体内に挿入し、所定の回数前進と後進を交互に繰り返し研ぎ上げた後、前記握持体を置き換え、中央刃物ガイド体のガイドピンをゆるめて反対側にスライドさせて前記ガイドピンを再度締め付け、前記粗砥用砥石体によって研ぎ上げられた庖丁の刃部もしくは仕上用砥石体に、グリスを付着せしめた後、前記右側刃物ガイド体側の握持体を握持し、前記庖丁の刃先を前記仕上用砥石体内に挿入して研ぎ上げることを特徴とする庖丁研ぎ器の使用方法。
【手続補正２】
【補正対象書類名】明細書
【補正対象項目名】全文
【補正方法】変更
【補正の内容】
【発明の詳細な説明】
【技術分野】
【０００１】
本発明は、粗砥用砥石体と仕上用砥石体とを握持体の上面部に並列状態で回転自在に嵌着せしめ、庖丁を粗砥用砥石体を使用して研ぎ上げ、研ぎ上げ後は、テンプラ油もしくはサラダ油もしくはグリスの少量を付着せしめ仕上用砥石体にて研ぎ上げるようにした庖丁研ぎ器とその使用方法の技術分野に関するものである。
【背景技術】
【０００２】
従来庖丁研ぎ器として、本件特許出願人が開発した下記特許文献１（特許第３９９１１５８号公報）が開示されている。さらに本出願人が出願中の庖丁研ぎ器に関する特許文献２（特開２０１０−１１０８８５公報）が開示されている。
【０００３】
しかし、前記開示の庖丁研ぎ器は、何れも中央に１個のダイヤをコーティングした研磨砥石体を装着し、両刃庖丁や片刃庖丁を自由に研ぎ上げることを目的に開発されたものであった。
【０００４】
さらに、従来のダイヤ研磨砥石式の庖丁研ぎ器は、その他の砥石と違い、その硬さを利用して庖丁の刃先を削り落して刃を付けるものであり、他方、その他の天然・合成砥石も水を付けて研ぐほどに砥石から、はがれ落ちた細かい部分と、すり減った庖丁の金属部分が、水を媒体として研ぐ程に、ぬめりが出てくる時が、庖丁が一番研げる状態である。
【０００５】
また、従来開示のダイヤ研磨砥石式の庖丁研ぎ器は、ダイヤ砥石体が１個しか装着されていないので使用頻度が多くなると、研磨砥石体にコーティングされているダイヤモンド粉末が時間の経過と共に剥がれ落ちてしまう恐れがあった。そのため製品寿命が短くなると云うものであった。
【先行技術文献】
【特許文献】
【０００６】
【特許文献１】特許第３９９１１５８号公報
【特許文献２】特開２０１０−１１０８８５公報
【発明の概要】
【発明が解決しようとする課題】
【０００７】
本発明が解決しようとする課題は以下のとおりである。
【０００８】
本発明は、回転自在にして、且若干傾斜状に装着せしめるダイヤ研磨砥石体を２個形成し、握持体の上面部に所定の間隔を置いて２個並列（二頭式）せしめ、一方の砥石体は粗砥として使用し、他方の砥石体は仕上砥として使用すること、さらに粗砥によって研ぎ上げた後、他方の仕上砥に、水ではなく、テンプラ油もしくはサラダ油もしくはグリスの何れかを仕上砥側の円盤状研磨砥石側もしくは庖丁の刃部側に付着せしめて研ぎ上げるようにして、１０００番の砥石で研いだものと同じような切れ味をだすことができるようにして課題を解決した。
【０００９】
さらに本発明の創作に至った経緯は下記のとおりである。
【００１０】
本件特許出願人は、昨年の実験から、平らな１０ｃｍの両面にダイヤを付け砥石全体を庖丁の刃がこすれるよう考えました。巨大な砥石一枚を直立にし、斜めにセットした庖丁に圧力が掛かるようにし、それを手前に引き、その勢いで砥石がまわるように考え作りましたが、さて、押す時に庖丁に掛かっている圧力を逃してやらなければ庖丁は動きません。今まで押す引くで使っていらっしゃったお客様に１００％受け入れられないと判断し中止致しました。しかし、安物の庖丁でもびっくりするほどの切れ味になりました。
【００１１】
これを生かして再度挑戦したのは、庖丁を台の上に乗せ、台の庖丁を斜めに当たるように焼入れしたステンレス丸棒に、長さ７ｃｍ巾６ｃｍのダイヤの付いた厚い削り台を自由にスライド出来るように作りましたが、砥石も１００番から１０００番まで揃えましたが、価格がべらぼうに高い事と思ったように自由に削れず中止致し、同時進行していた二頭式の形に致し、従来の砥石と仕上用の砥石として使う事を考え、前回の異常に切れる油付の砥石を付け試作しました所、この方法がベストと考え、売り出す事と致しました。
この試作品をもって、某商社に秘密を厳守してご覧に入れました。私の友人のＳさんの研いだ庖丁を持って参りました。Ｓさんは三条地区では傑出した研ぎの名人です。先ず、厚紙を切れる庖丁で切って見せました。
次に持って行ったコンクリートブロックを、何回も何回もこすり庖丁が完全に切れなくしました。切れないのを証明するため、厚紙を切って見せました。厚紙は庖丁の刃が入らず、ぶさぶさになりました。
【００１２】
従来の砥石を使い完全に刃が付いたのを確かめ、油砥石とした砥石に掛ける前に、庖丁にグリスを庖丁の刃の長さ全体に巾５ｍｍほどに紙へらで庖丁の刃先に塗り、軽く４、５回こすりました。ダイヤの番定は荒いのに１０００番の砥石で研いだようによく切れます。
【００１３】
前記Ｓ名人の研いだのとは若干違うように思いましたが、あまり遜色ありません。私も自信はありましたが、自分でデモンストレーションしながら、これは売れると感じました。今回は本当にお金が掛りました。発明とはお金が掛るのです。
【００１４】
従来の砥石を粗砥とするならば、仕上用として用いた油砥石がまさしく仕上用としてぴったりなのです。粗砥用の砥石で刃を付けたものならば、ほんの３、４回押したり引いたりで仕上に代るダイヤの番定もやや同じです。安定した大玉のダイヤも気持ちよく研げ、皆様方にきっと喜んでいただけると確信しております。
【００１５】
今回の特許出願は、ダイヤコーティング砥石の種々の試作品の中で思いがけない切れ味が容易にえられる事が分り、それを主体とした耐久性などの見地から粗砥とさほど違わない砥石に庖丁の刃にグリスを刃先５ｍｍ巾に紙へらで付けるだけで、仕上砥石で研いだと同じ切れ味をえた事は大発見でした。
これならば、粗砥石、油砥石と同じ位の使い用となり、仕上砥石だけが極端に早く減る事はない。
【００１６】
以上が本願発明を創作するに至った経緯である。
【課題を解決するための手段】
【００１７】
課題を解決するための手段として、請求項１に記載の発明は、表面部２にダイヤモンド粉末をコーティングする一方の円盤状研磨砥石１と、表面部２にダイヤモンド粉末をコーティングしない他方の円盤状研磨砥石１とを形成し、前記一方のダイヤモンド粉末をコーティングした円盤状研磨砥石１を外側方にして、前記両砥石１、１を対向状にセットし、且前記両砥石の中心部に軸杆を貫通し、前記軸杆３の左右両サイドにナット４、４を軸着せしめた粗砥用砥石体ａと、表面部６にダイヤモンド粉末をコーティングする一方の円盤状研磨砥石５と表面部２にダイヤモンド粉末をコーティングしない他方の円盤状研磨砥石５とを形成し、前記一方のダイヤモンド粉末をコーティングした円盤状研磨砥石５を外側方にして、前記両砥石５、５を対向状にセットし、且前記両砥石の中心部に軸杆を貫通し、前記軸杆７の左右両サイドにナット８、８を軸着せしめたグリス付着専用の仕上用砥石体ｂとを設け、上面部９に形成せしめた嵌挿部９ｂ内に前記粗砥用砥石体ａと前記仕上用砥石体ｂを所定の間隔おきに並列し、且回転自在に嵌着せしめる細長形状の握持体ｃと、前記握持体ｃの上面部９に左側刃物ガイド体ｄと、前記握持体ｃの上面部９に右側刃物ガイド体ｅと、前記握持体ｃの上面部９にして、且前記左側刃物ガイド体ｄと右側刃物ガイド体ｅとの間に、スライドが調整可能な中央刃物ガイド体ｆを夫々装着せしめ、前記粗砥用砥石体ａと前記仕上用砥石体ｂが、前記握持体ｃの長さ方向の軸線に対し、所定の角度で傾斜状にして、且平行状に並列せしめ、前記左側刃物ガイド体ｄと前記右側刃物ガイド体ｅと前記中央刃物ガイド体ｆに細長孔１４、１４、１４を形成し、前記各細長孔１４、１４、１４に頭部１６付きガイドピン１５を貫通して前記３つのガイド体ｄ、ｅ、ｆと前記握持体ｃを夫々螺着せしめ、前記粗砥用砥石体ａと前記仕上用砥石体ｂが、前記左側刃物ガイド体ｄと前記右側刃物ガイド体ｅと、前記中央刃物ガイド体ｆによってカバーされ、前記中央刃物ガイド体ｆの全長が、前記左側刃物ガイド体ｄと右側刃物ガイド体ｅの端部１７、１８との間に形成される庖丁刃の刃挿入部１９、２０を調整できる長さにて形成されていることを特徴とする庖丁研ぎ器である。
【００１８】
課題を解決するための手段として、請求項２に記載の発明は、前記左側刃物ガイド体ｄの上面部に、前記粗砥用砥石体ａであることを明確にする文字１１を付記せしめる粗砥使用指示シール１０を貼着し、右側刃物ガイド体ｅの上面部に、前記仕上用砥石体ｂであることを明確にする文字１３を付記せしめる仕上砥使用指示シール１２を貼着することを特徴とする請求項１に記載の庖丁研ぎ器である。
【００１９】
課題を解決するための手段として、請求項３に記載の発明は、握持体ｃの上面部９に握持体ｃの細長形状の軸線方向に対し、稍傾斜状にして、且並列状に回転自在に粗砥用砥石体ａと仕上用砥石体ｂを嵌着せしめると共に、前記粗砥用砥石体ａと仕上用砥石体ｂをカバーする左側刃物ガイド体ｄと右側刃物ガイド体ｅと中央刃物ガイド体ｆを、頭部１６付きガイドピン１５、１５、１５によって前記握持体ｃに夫々接続せしめた庖丁研ぎ器の使用方法であって、
前記庖丁研ぎ器の前記中央刃物ガイド体ｆを左側刃物ガイド体ｄ側にスライドしてガイドピン１５をゆるめた状態から締め付けた後、左側刃物ガイド体ｄ側の握持体ｃを片方の手指で握持し、もう片方の手指で握持していた庖丁の刃先を前記粗砥用砥石体ａ内に挿入し、所定の回数前進と後進を交互に繰り返し研ぎ上げた後、前記握持体ｃを置き換え、中央刃物ガイド体ｆのガイドピン１５をゆるめて反対側にスライドさせて前記ガイドピン１５を再度締め付け、前記粗砥用砥石体ａによって研ぎ上げられた庖丁の刃部もしくは仕上用砥石体ｂに、グリスを付着せしめた後、前記右側刃物ガイド体ｅ側の握持体ｃを握持し、前記庖丁の刃先を前記仕上用砥石体ｂ内に挿入して研ぎ上げることを特徴とする庖丁研ぎ器の使用方法である。
【００２０】
課題を解決するための手段として、請求項４に記載の発明は、握持体ｃの上面部９に握持体ｃの細長形状の軸線方向に対し、稍傾斜状にして、且並列状に回転自在に粗砥用砥石体ａと仕上用砥石体ｂを嵌着せしめると共に、前記粗砥用砥石体ａと仕上用砥石体ｂをカバーする左側刃物ガイド体ｄと右側刃物ガイド体ｅと中央刃物ガイド体ｆを、頭部１６付きガイドピン１５、１５、１５によって前記握持体ｃに夫々接続せしめ、前記粗砥用砥石体ａ側の前記右側刃物ガイド体ｅの上面部には粗砥用砥石体ａであることを指示するシール１０を貼着し、他方前記仕上用砥石体ｂ側の上面部にも仕上用砥石体ｂであることを指示するシール１２を貼着せしめた庖丁研ぎ器の使用方法であって、
前記庖丁研ぎ器の前記中央刃物ガイド体ｆを左側刃物ガイド体ｄ側にスライドしてガイドピン１５をゆるめた状態から締め付けた後、左側刃物ガイド体ｄ側の握持体ｃを片方の手指で握持し、もう片方の手指で握持していた庖丁の刃先を前記粗砥用砥石体ａ内に挿入し、所定の回数前進と後進を交互に繰り返し研ぎ上げた後、前記握持体ｃを置き換え、中央刃物ガイド体ｆのガイドピン１５をゆるめて反対側にスライドさせて前記ガイドピン１５を再度締め付け、前記粗砥用砥石体ａによって研ぎ上げられた庖丁の刃部もしくは仕上用砥石体ｂに、グリスを付着せしめた後、前記右側刃物ガイド体ｅ側の握持体ｃを握持し、前記庖丁の刃先を前記仕上用砥石体ｂ内に挿入して研ぎ上げることを特徴とする庖丁研ぎ器の使用方法である。
【発明の効果】
【００２１】
本発明は、上述のとおりの構成なので、二頭式にて並列せしめられている一方の粗砥石体にて従来の手法と同様にして庖丁を研ぎ上げ、つづいて並列している他方の仕上用砥石体に直接テンプラ油もしくはサラダ油もしくはグリスを付着せしめるか、もしくは粗砥にて研ぎ上げられた庖丁側の刃部もしくは刃部の周辺に前記したテンプラ油もしくはサラダ油もしくはグリスを少量付着せしめた後、前記仕上用砥石体の円盤形状の研磨砥石側に握持している庖丁の刃部を挿入せしめ２〜３回こするだけで極めて優れた切れ味も持った庖丁研ぎができる。
【００２２】
また、本発明は、砥石体が二頭並列状に装着されているので、一方を粗砥石体として使用し、他方を仕上砥石体として使用し、ただし前記仕上砥石体には、テンプラ油もしくはサラダ油もしくはグリスを付着することを条件にして庖丁をこすり上げるようにすると共に、前記仕上砥石体を介して研ぎ仕上げをするときは、握持体を置き換えるだけの簡単な操作で切れ味が抜群な庖丁研ぎができる。
【００２３】
さらに、本発明は、前記のように左側刃物ガイド体の上面部に粗砥用砥石体であることを指示するシールを、他方右側刃物ガイド体の上面部にも仕上用砥石体であることを指示するシールを夫々貼着せしめているので、庖丁を研ぐ手順を間違わずにできる利点がある。
【００２４】
加えて、粗砥用砥石体と仕上用砥石体の２個を二頭並列状に握持体に装着せしめた研ぎ構造としたので、従来の庖丁研ぎ器よりもダイヤモンド粉末の剥がれ落ちるスピードが遅くなり、そのため製品寿命が延命できる利点がある。
【図面の簡単な説明】
【００２５】
【図１】本発明庖丁研ぎ器の斜視図である。
【００２６】
【図２】同図１の庖丁研ぎ器が置き換えられた状態の斜視図である。
【００２７】
【図３】同図１の庖丁研ぎ器を分解した状態の斜視図である。
【発明を実施するための最良の形態】
【００２８】
本発明は、実施の形態が共通しているので、図面に基づき一括して以下のとおり説明する。
【００２９】
図において、符号ａは粗砥用砥石体を示している。該砥石体ａは、表面部２にダイヤモンド粉末をコーティングする一方の円盤状研磨砥石１と、表面部２にダイヤモンド粉末をコーティングしない他方の円盤状研磨砥石１とを形成し、前記一方のダイヤモンド粉末をコーティングした円盤状研磨砥石１を外側方にして、前記両砥石１、１を対向状にセットし、且中心部に軸杆３を貫通して前記軸杆３の左右両サイドよりナット４、４を軸着する。この軸着はネジ（図示なし）が設けられている。
【００３０】
さらに、前記粗砥用砥石体ａを構成する対向状にセットされる円盤状の研磨砥石１、１の中、ダイヤモンド粉末をコーティングするのは、外側方の研磨砥石１である。前記のようにダイヤモンド粉末をコーティングした砥石１の外側円周部には、青色を着色して使用者が分り易いようにする。
【００３１】
ｂは仕上用砥石体であり以下の構成からなっている。
【００３２】
表面部６にダイヤモンド粉末をコーティングする一方の円盤状研磨砥石５と表面部２にダイヤモンド粉末をコーティングしない他方の円盤状研磨砥石５とを形成し、前記一方のダイヤモンド粉末をコーティングした円盤状研磨砥石５を外側方にして、前記両砥石５、５を対向状にセットし、且中心部に軸杆７を貫通して前記軸杆７の左右両サイドよりナット８、８を軸着する。この軸着はネジ（図示なし）も設けられている。
【００３３】
前記仕上用砥石体ｂを構成する対向状にセットされる円盤状の研磨砥石５、５の中、ダイヤモンド粉末をコーティングするのは、外側方の研磨砥石５である。前記のようにダイヤモンド粉末をコーティングした砥石５の外側円周部には、赤色を着色して使用者が分り易いようにする。
【００３４】
ｃは握持体であり、以下の構成からなる。
【００３５】
上面部９に前記粗砥用砥石体ａと前記仕上用砥石体ｂを所定の間隔おきにして、且回転自在に嵌着せしめる構成である。
【００３６】
さらに前記握持体ｃは細長形状にして、前記２つの砥石体ａ、ｂが嵌挿する嵌挿部９ｂが形成されている。
【００３７】
ｄは左側刃物ガイド体であり、以下の構成からなっている。
【００３８】
前記握持体ｃの上面部９にスライドが調整可能に装着されている。その具体的説明は下記に説明する。
【００３９】
ｅは前記握持体ｃの上面部９にスライドが調整可能にセットされている右側刃物ガイド体である。
【００４０】
ｆは前記握持体ｃの上面部９にして、且前記左側刃物ガイド体ｄと右側刃物ガイド体ｅとの間に、スライドが調整可能な構造となっている中央刃物ガイド体である。さらにその具体的構成は下記に述べる。
【００４１】
さらに前記粗砥用砥石体ａと前記仕上用砥石体ｂは、前記握持体ｃの長さ方向の軸線に対し、所定の角度で傾斜状にして、且平行状に並列せしめられている。
【００４２】
１０は粗砥使用指示シールであり、以下の構成からなっている。  
【００４３】
該シール１０は前記左側刃物ガイド体ｄの上面部に、前記粗砥用砥石体ａであることを明確にする文字１１を付記せしめ貼着されている。
【００４４】
図において、１２は仕上砥使用指示シールであり、右側刃物ガイド体ｅの上面部に、前記仕上用砥石体ｂであることを明確にする文字１３を付記せしめ貼着されている。
【００４５】
本発明は、前記左側刃物ガイド体ｄと前記右側刃物ガイド体ｅと前記中央刃物ガイド体ｆには、細長孔１４、１４、１４が形成され、前記各細長孔１４、１４、１４には頭部１６付きガイドピン１５を貫通して前記３つのガイド体ｄ、ｅ、ｆと前記握持体ｃを夫々螺着せしめる。
【００４６】
１５ａはガイドピン１５と共に使用されるワッシャーである。
【００４７】
９ａは係止部であり、前記各ガイド体ｄ、ｅ、ｆのスライドをスムーズに行うための機能がある。
【００４８】
さらに、本発明は、前記粗砥用砥石体ａと前記仕上用砥石体ｂが、前記左側刃物ガイド体ｄと前記右側刃物ガイド体ｅと中央刃物ガイド体ｆによってカバーされている。
【００４９】
さらに、前記各ガイド体ｄ、ｅ、ｆは係止部９ａによって、はみ出たりしない。
【００５０】
１５ｂは握持体ｃと各ガイド体ｄ、ｅ、ｆを接続するために握持体ｃ側に形成されたネジ付き突出部である。
【００５１】
前記中央刃物ガイド体ｆの全長は、前記左側刃物ガイド体ｄと右側刃物ガイド体ｅの端部１７、１８との間に形成される庖丁刃の刃挿入部１９、２０を調整できる長さにて形成されている。
【００５２】
本発明は、前記仕上用砥石体ｂが下記のように実施される。
【００５３】
すなわち、庖丁が前記粗砥用砥石体ａによって研ぎ上げられた後、研ぎ上げられた庖丁の刃部もしくは刃部を含む刃部の周辺に、テンプラ油もしくはサラダ油もしくはグリスを付着せしめて、前記庖丁を研ぎ上げるものである。
【００５４】
本発明の庖丁研ぎ器を構成する粗砥用砥石体ａによって庖丁を研ぎ上げた後、仕上げのため仕上用砥石体ｂによって研ぐ以前の準備作業として庖丁の刃部側もしくは前記仕上用砥石体ｂ側にテンプラ油もしくはサラダ油もしくはグリス（食用機械類において使用される無害なグリスを使用する。）を少量付着せしめる。
【００５５】
つぎに、庖丁を前記握持体ｃに嵌着している前記仕上用砥石体ｂの円盤状研磨砥石５、５内に嵌挿せしめ複数回こする。その結果、庖丁の刃先は、切れ味が極めて良好に研ぎ上がる。
【００５６】
本件発明を開発するに至った経緯は、以下のとおりである。
【００５７】
従来の庖丁研ぎ器は、研ぎ器を構成するダイヤ砥石は、その他の砥石と違い、その硬さを利用して庖丁の刃先を削り落して刃をつけるものであった。一方、その他の天然・合成砥石とも、水を付け研ぐほどに砥石からはがれ落ちた細かい部分とすり減った庖丁の金属部分が、水を媒体として研ぐほどに、ぬめりが出てくる時が、庖丁が一番研げる状態である。そうなると、ぬめりもギラギラと油の入ったような風にも見える。このような研ぎ方は、ダイヤ砥石にはなかった。仕上用として更に細かいダイヤをはりつけ使用しても、決っして上手く行かず、試行錯誤の上、ダイヤ砥石の上に油を付けるか、庖丁の刃先に油を付け使用すると、現在の砥石だけの切れ味から、思い掛けない庖丁の切れ味を出すに至った。
【００５８】
この原因は、ダイヤ砥石の上から油を付けると、当りが柔らかくなり、今まで下に落ちていた、庖丁の削り滓が、油と同化して細かいダイヤにまとわり付き、天然砥石のぬめりと似たような状態になったものと判断する。しかし、本当に良く研げた庖丁の切れ味には及ばないが、２、３回こすって刃が付く、簡易庖丁研ぎ器としては大きな進歩であった。
【００５９】
以上が本件発明を開発するに至った経緯である。
【００６０】
次に、上述した庖丁研ぎ器の使用方法について説明する。
第１の研ぎ工程として、ガイドピン１５をゆるめて前記庖丁研ぎ器の前記中央刃物ガイド体ｆを、左側刃物ガイド体ｄ側にスライドさせる。そして、ガイドピン１５を締め付け後、左側刃物ガイド体ｄ側の握持体ｃを片方の手指で握持し、もう片方の手指で握持していた庖丁の刃先を前記粗砥用砥石体ａ内に挿入し、所定の回数前進と後進を交互に繰り返えし研ぎ上げる。
【００６１】
第２工程として、反対側の右側刃物ガイド体ｅ側を置き換える。しかる後、中央刃物ガイド体ｆのガイドピン１５をゆるめて反対側にスライドさせて前記ガイドピン１５を再度締め付ける。
【００６２】
第３の研ぎ工程として、前記粗砥用砥石体ａによって研ぎ上げられた庖丁の刃部もしくは前記仕上用砥石体ｂに、テンプラ油もしくはサラダ油もしくはグリスを付着せしめた後、前記仕上用砥石体ｂ内に庖丁の刃部を挿入して研ぎ上げ庖丁研ぎを終了せしめるものである。  
【００６３】
さらに、本件特許出願人は、本願発明の庖丁研ぎ器に無害なグリスを付着せしめ仕上用砥石体にて研ぎ上げる庖丁研ぎ器に関し、新潟県工業技術総合研究所の県央技術支援センターに、グリス（グリース）の塗布を施した庖丁研ぎ器に関し何故に前記のようにグリスを塗布し研ぎ上げると極めて良く切れるかに付き研究を依頼した。
【００６４】
その結果、前記技術支援センター長による「受託研究成果通知書」（平成２９年３月１５日付）が交付されるに至った。
【００６５】
前記受託研究成果通知書に明記されている内容（抜粋）は、下記のとおりであった。
【００６６】
「一般に、良好な切れ味を持つ刃物の刃先については、鋸歯状刃先という説と一直線状の刃先という説がある。朝倉健太郎（“刃物の科学”日刊工業新聞社、Ｐ１２−１３、Ｐ５４−５５）によれば、カミソリの鋸歯状の刃先は、刃先としては未完成とし、一直線状の刃先が理想としている。しかしながら、本調査研究の対象は、被切削対象に刃をなぞらせるカミソリと使用方法が異なり、「引き切り」や「押し切り」により対象を切断する包丁で、切断を効率的に行うためには、刃先の鋸歯の凹凸が被削材に食い込み、刃の掛かりを良好にする必要がある（尾上卓生・矢野宏、“刃物のおはなし”、日本規格協会、Ｐ１７４）。また、鋭い角度を持つ刃先も切れ味には良好な結果をもたらすことが知られている。当該包丁研ぎ器は、刃先を鋭くするだけでなく、鋸歯形成能も有することから、切れ味が向上するものと考えられる。
＜まとめ＞
グリース塗布を施して研磨する包丁研ぎ器について、研ぐ前後の包丁の先端形状や切れ味を調査し比較した結果、当該包丁研ぎ器に掛けた後は、刃先が鋭利になるだけでなく、鋸歯が形成されることが分かった。上記二つの効果がもたらされることで良好な切れ味になると推察される。」
【００６７】
上記により、本件特許出願に関する発明が、グリスを塗布し研ぐことによって、刃先が鋭利になるだけでなく鋸歯形状になり、良く切れることが実証された。
【００６８】
なお、本件特許出願人において、前記新潟県工業技術総合研究所県央技術支援センター長が作成した、「受託研究成果通知書」（工技県央第２８号平成２９年３月１５日付）（研究報告付き）の原本）は、保持している。
【符号の説明】
【００６９】
ａ        粗砥用砥石体
ｂ        仕上用砥石体
ｃ        握持体
ｄ        左側刃物ガイド体
ｅ        右側刃物ガイド体
ｆ        中央刃物ガイド体
１        円盤状研磨砥石
２        表面部
３        軸杆
４        ナット
５        円盤状研磨砥石
６        表面部
７        軸杆
８        ナット
９        上面部
９a       係止部
９ｂ      嵌挿部
１０      シール
１１      文字
１２      シール
１３      文字
１４      細長孔
１５      ガイドピン
１５a     ワッシャー
１５ｂ    突出部
１６      頭部
１７      端部
１８      端部
１９      刃挿入部
２０      刃挿入部